【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
複数の信号経路を提供するビーム形成回路網を備えるマルチビーム衛星システムをキャリブレーションする装置であって、
前記複数の信号経路のうちの1つの試験経路から抽出される第１信号と前記複数の信号経路のうちの１つの参照経路から抽出される第２信号とから、前記参照経路に対する前記試験経路の位相シフトおよび振幅シフトを決定するキャリブレーションプロセッサを備え、前記第１信号および第２信号はキャリブレーショントーンに対応しており、
前記キャリブレーションプロセッサは、前記試験経路と前記参照経路についての前記位相シフトおよび振幅シフトを検出するために、および前記試験経路と前記参照経路についての前記位相シフトおよび振幅シフトを比較するために、前記第１信号と前記第２信号との相関をとるように構成されているか、または、前記第１信号および前記第２信号のそれぞれと第３信号との相関をとるように構成されており、前記第３信号は前記キャリブレーショントーンに対応しており、
前記キャリブレーションプロセッサが、前記マルチビーム衛星システムの動作周波数範囲内の任意の周波数の信号に対する前記試験経路の位相オフセットおよび振幅オフセットを計算できるように、少なくとも2つの異なる周波数の少なくとも2つのキャリブレーショントーンについて前記参照経路に対する前記試験経路の位相シフトおよび振幅シフトを決定するようにさらに構成されている、装置。
【請求項２】
キャリブレーショントーンを前記試験経路および前記参照経路に注入する手段をさらに備え、前記少なくとも2つのキャリブレーショントーンが、注入時に異なる周波数の2つのキャリブレーショントーンを含む、請求項1に記載の装置。
【請求項３】
前記試験経路および前記参照経路においてキャリブレーショントーンの周波数を変換するデジタル信号プロセッサをさらに備え、前記少なくとも2つのキャリブレーショントーンが、2つの異なる周波数に変換された少なくとも2つのキャリブレーショントーンを含む、請求項2に記載の装置。
【請求項４】
前記複数の経路から試験経路を選択する手段をさらに備え、前記試験経路選択手段が、前記複数の経路からなる経路のグループから各経路の位相オフセットおよび振幅オフセットを決定することができるように、特定の注入周波数および特定の周波数変換のキャリブレーショントーンに対して、前記経路のグループから各経路を前記試験経路として順次選択するように構成されている、請求項3に記載の装置。
【請求項５】
複数の入力部および複数の出力部を有するビーム形成回路網を備え、前記経路のグループが、特定の入力部を通る全ての経路、または特定の出力部を通る全ての経路から選択される、請求項4に記載の装置。
【請求項６】
前記ビーム形成回路網が、前記少なくとも2つの異なる周波数の前記少なくとも2つのキャリブレーショントーンに対して前記試験経路について決定された相対的な位相シフトおよび振幅シフトに基づいて、前記試験経路に補正をかけるように構成されている、請求項1から5のいずれか一項に記載の装置。
【請求項７】
決定された位相シフトおよび振幅シフトを地上局に送信するトランスミッタと、決定された位相シフトおよび振幅シフトに基づく、前記ビーム形成回路網に適用される補正値を前記地上局から受信するレシーバとをさらに備える、請求項1から6のいずれか一項に記載の装置。
【請求項８】
ビーム形成回路網に信号を転送するビームスプリッタと、
前記ビーム形成回路網からの信号を増幅する増幅器と、
キャリブレーショントーンを前記ビームスプリッタに注入するカプラと、
前記試験経路からの前記信号を前記増幅器から前記キャリブレーションプロセッサに転送する切換部とをさらに備え、前記試験経路が前記ビームスプリッタから前記増幅器までの経路を含む、請求項1から7のいずれか一項に記載の装置。
【請求項９】
ビーム形成回路網に対する信号を増幅する増幅器と、
前記ビーム形成回路網から受信した信号を組み合わせる信号コンバイナと、
前記増幅器における試験経路にキャリブレーショントーンを注入する切換部と、
前記試験経路からの前記信号を前記信号コンバイナから前記キャリブレーションプロセッサに転送する手段とをさらに備え、前記試験経路が前記増幅器から前記信号コンバイナまでの経路を含む、請求項1から7のいずれか一項に記載の装置。
【請求項１０】
請求項1から9のいずれか一項に記載の装置を備えるマルチビーム衛星システム。
【請求項１１】
請求項10に記載のマルチビーム衛星システムと、前記マルチビーム衛星システムから位相シフト計測値および振幅シフト計測値を受信し、前記複数の信号経路のうちのある経路に対する補正値を計算し、前記補正値を前記マルチビーム衛星システムに送信するように構成された地上局とを備えるシステム。
【請求項１２】
前記決定された位相シフトおよび振幅シフト、ならびに前記複数の経路において非線形の位相特性および振幅特性を有する機器によって導入された位相シフトおよび振幅シフトに対する、前記決定された位相シフトおよび振幅シフトに基づく補正値を調整する手段をさらに含む、請求項11に記載のシステム。
【請求項１３】
複数の信号経路を提供するビーム形成回路網を有するマルチビーム衛星システムをキャリブレーションする方法であって、
前記複数の経路のうちの1つの試験経路から第１信号を抽出し、前記複数の経路のうちの1つの参照経路から第２信号を抽出するステップであって、前記第１信号および前記第２信号は、キャリブレーショントーンに対応するステップと、
前記抽出された２つの信号から前記参照経路に対する前記試験経路の位相シフトおよび振幅シフトを決定するステップとを含み、
前記試験経路の位相シフトおよび振幅シフトを決定する前記ステップは、前記試験経路と前記参照経路についての前記位相シフトおよび振幅シフトを検出するために、および前記試験経路と前記参照経路についての前記位相シフトおよび振幅シフトを比較するために、前記第１信号と前記第２信号との相関をとるステップ、または、前記第１信号および前記第２信号のそれぞれと第３信号との相関をとるステップであって前記第３信号は前記キャリブレーショントーンに対応しているステップを含み、
信号の前記抽出と相対的な位相シフトおよび振幅シフトの前記決定とは、マルチビーム衛星システムの動作周波数範囲内の任意の周波数の信号に対する前記試験経路の位相オフセットおよび振幅オフセットを、決定された位相シフトおよび振幅シフトから計算できるように、異なる周波数の少なくとも2つのキャリブレーショントーンについて実行するステップを含む、方法。
【請求項１４】
信号を前記抽出するステップが、異なる周波数の少なくとも2つのキャリブレーショントーンのうちの第1のキャリブレーショントーンに対応して信号を抽出するステップと、次に、異なる周波数の前記少なくとも2つのキャリブレーショントーンのうちの第2のキャリブレーショントーンに対応して信号を抽出するステップとを含む、請求項13に記載の方法。
【請求項１５】
キャリブレーショントーンを前記試験経路および前記参照経路に注入するステップをさらに含み、異なる周波数の前記少なくとも2つのキャリブレーショントーンが、前記試験経路および前記参照経路に注入する時に異なる周波数の2つのキャリブレーショントーンを含む、請求項13または14に記載の方法。
【請求項１６】
前記試験経路および前記参照経路においてキャリブレーショントーンの周波数を変換するステップをさらに含み、異なる周波数の前記少なくとも2つのキャリブレーショントーンが、別の周波数に変換された2つのキャリブレーショントーンを含む、請求項15に記載の方法。
【請求項１７】
特定の注入周波数および特定の周波数変換のキャリブレーショントーンに対して、前記複数の経路からなる経路のグループから各経路の位相および振幅を決定することができるように、前記経路のグループから各経路を前記試験経路として順次選択するステップをさらに含む、請求項16に記載の方法。
【請求項１８】
前記経路のグループが、特定の入力部を通ってビーム形成回路網に至る全ての経路、またはビーム形成回路網から出て特定の出力部を通る全ての経路から選択される、請求項17に記載の方法。
【請求項１９】
異なる周波数の前記少なくとも2つのキャリブレーショントーンに対して前記試験経路の決定された相対的な位相シフトおよび振幅シフトに基づいて、前記ビーム形成回路網に補正をかけるステップをさらに含む、請求項13から18のいずれか一項に記載の方法。
【請求項２０】
決定された位相シフトおよび振幅シフトを地上局に送信するステップと、前記地上局から前記補正値を受信するステップとをさらに含む、請求項19に記載の方法。
【請求項２１】
前記決定された位相シフトおよび振幅シフト、ならびに前記複数の経路における非線形の機器によって導入される振幅シフトおよび位相シフトに対する、前記決定された位相シフトおよび振幅シフトに基づいて決定された補正値を調整するステップをさらに含む、請求項20に記載の方法。
【請求項２２】
プロセッサによって実行されるとき、請求項13から21のいずれか一項に記載の方法を前記プロセッサに実行させる命令を含むコンピュータプログラム。
【請求項２３】
複数の信号経路を提供するビーム形成回路網を備えるマルチビーム衛星システムをキャリブレーションする装置であって、
前記複数の経路のうちの試験経路においてキャリブレーショントーンを含む信号を第1の周波数から第2の周波数に変換するデジタル信号プロセッサと、
前記試験経路から抽出されたキャリブレーショントーンと参照キャリブレーション信号との相関をとることによって、前記試験経路から抽出された第１信号と前記参照経路から抽出された第２信号とから、前記試験経路の位相シフトおよび振幅シフトを決定するキャリブレーションプロセッサとを含み、
前記第１信号および第２信号はキャリブレーショントーンに対応しており、
前記キャリブレーションプロセッサは、前記試験経路と前記参照経路についての前記位相シフトおよび振幅シフトを検出するために、および前記試験経路と前記参照経路についての前記位相シフトおよび振幅シフトを比較するために、前記第１信号と前記第２信号との相関をとるように構成されているか、または、前記第１信号および前記第２信号のそれぞれと第３信号との相関をとるように構成されており、前記第３信号は前記キャリブレーショントーンに対応しており、
前記キャリブレーションプロセッサが、異なる周波数の少なくとも2つのキャリブレーショントーンに対する、前記試験経路の位相シフトおよび振幅シフトを決定するようにさらに構成されており、また前記デジタル信号プロセッサが、前記少なくとも2つのキャリブレーショントーンに対して決定された相対的な前記位相シフトおよび振幅シフトに基づいて前記試験経路に補正をかけるように構成されている、装置。